(57)【要約】【課題】ピニオンとラックが常時噛み合い、ラックとピニオンの噛合不良による異音を発せず、ラックの歯こぼれが生じることが無く、両回転方向に制動機能を有した回転式の制動機構を用いることによって低コストで製造することのできる引戸の制動装置を提供すること。【解決手段】両回転方向に制動機能を有し、回転軸１１ａにピニオン１２を配して、引戸２に固定した回転式制動機構１１と、該回転式制動機構１１のピニオン１２と噛合し、引戸２の移動方向と所定の範囲内で摺動移動可能に引戸に配設したラック部材１３と、該ラック部材１３の端部が当接して、ラック部材を引戸に対して相対的に摺動移動させる固定側に配設した停止部材２０とからなることを特徴とする。【選択図】図１
2006183297.tif 000002
【特許請求の範囲】
【請求項１】
両回転方向に制動機能を有し、回転軸にピニオンを配して、引戸に固定した回転式制動機構と、該回転式制動機構のピニオンと噛合し、引戸の移動方向と所定の範囲内で摺動移動可能に引戸に配設したラック部材と、該ラック部材の端部が当接して、ラック部材を引戸に対して相対的に摺動移動させる固定側に配設した停止部材とからなることを特徴とする引戸の制動装置。
【請求項２】
回転式制動機構のピニオンを挟んで、２個のラック部材を独立して摺動移動可能に引戸に配設するとともに、停止部材を、２個のラック部材のうち停止部材に先に当接したラック部材のみと選択的に当接するようにして、該ラック部材を引戸に対して相対的に摺動移動させるようにしたことを特徴とする請求項１記載の引戸の制動装置。
【発明の詳細な説明】
【技術分野】
【０００１】
本発明は、引戸の制動装置に関し、特に制動機構に両回転方向に制動機能を有した回転式の制動機構を用いた引戸の制動装置に関するものである。
【背景技術】
【０００２】
従来、引戸の制動装置としては、引戸上部に一方向の回転側に制動機能を有した制動機器を利用したものが提案されている。
【０００３】
ところで、この引戸の制動装置５０は、図５に示すように、引戸２の上部にブラケット５ａを介して取り付けられる走行車輪５を載置し、引戸２を吊り下げる走行用レール４とを備え、引戸２の上部に配設した一方向の回転側に制動機能を有した制動機器５１の回動軸５１ａにピニオン５２を配し、固定側（例えば引戸枠３）にピニオン５２と噛合するラック５３ａ、５３ｂを引戸２が全開位置と全閉位置に近づく辺りからピニオン５２と噛合する位置に配設するようにしたものである。
【０００４】
そして、ピニオン５２は、一方向の回転側（図例によるときは反時計回りの方向に制動される。）に制動機能を有した制動機器５１の回動軸に取り付けられており、閉鎖側に配設されるラック５３ａは歯を上側に向けた方向に配設され、開放側のラック５３ｂは歯を下側に向けた方向に配設され、引戸２を全閉するときも全開するときも一つの制動機器５１によって引戸２の制動を行うことができるものである（例えば、特許文献１、２参照。）。
【０００５】
しかし、この引戸の制動装置５０は、固定側に配設されるラック５３ａ、５３ｂに制動機器５１の回動軸に取り付けられているピニオン５２が噛み合うことによって制動作用が生じるもので、吊り車の滑り等によって回転するピニオン５２とラック５３ａ、５３ｂとの噛み合い位置は一定しない。
そのため、ピニオン５２がラック５３ａ、５３ｂに噛み合うことなく歯に乗り上げることがあり、その際、大きな異音が発生するとともに、ラック５３ａ、５３ｂの歯が欠ける等の不具合が生じることがあった。
これに対処するため、ピニオン５２とラック５３ａ、５３ｂとが噛合することなく、歯先同士が乗り上げても衝撃音が発生しないように、ラック５３先端にゴムを貼り付けたり、その材質を柔らかい材質に変更することも行われているが、このことが、装置全体のコスト高の要因となっていた。
また、制動機器５１は、全閉・全開位置からの引戸の移動時に制動作用が働くことのないように一方向の回転側に制動機能を有する所謂ワンウェイベアリングを採用しなければならず、制動装置のコスト高の要因となっていた。
【特許文献１】特許第２７３０８７１号公報
【特許文献２】特開平８−２４６７４４号公報
【発明の開示】
【発明が解決しようとする課題】
【０００６】
本発明は、上記従来の引戸の制動装置の有する問題点に鑑み、ピニオンとラックが常時噛み合い、ラックとピニオンの噛合不良による異音を発せず、ラックの歯こぼれが生じることがなく、両回転方向に制動機能を有した回転式の制動機構を用いることによって低コストで製造することのできる引戸の制動装置を提供することを目的とする。
【課題を解決するための手段】
【０００７】
上記目的を達成するため、本発明の引戸の制動装置は、両回転方向に制動機能を有し、回転軸にピニオンを配して、引戸に固定した回転式制動機構と、該回転式制動機構のピニオンと噛合し、引戸の移動方向と所定の範囲内で摺動移動可能に引戸に配設したラック部材と、該ラック部材の端部が当接して、ラック部材を引戸に対して相対的に摺動移動させる固定側に配設した停止部材とからなることを特徴とする。
【０００８】
この場合において、回転式制動機構のピニオンを挟んで、２個のラック部材を独立して摺動移動可能に引戸に配設するとともに、停止部材を、２個のラック部材のうち停止部材に先に当接したラック部材のみと選択的に当接するようにして、該ラック部材を引戸に対して相対的に摺動移動させるようにすることができる。
【発明の効果】
【０００９】
本発明の引戸の制動装置によれば、ラック部材はピニオンに常に噛合した状態でピニオンとともに移動し、ラック部材が停止部材に当接して、ラック部材に噛み合ったピニオンが回されることで引戸を制動するから、噛み合い位置の変動を生ぜず、ラックがピニオンに乗り上げたりラックの歯こぼれを起こすことのない引戸の制動装置を提供することができる。
【００１０】
また、回転式制動機構のピニオンを挟んで、２個のラック部材を独立して摺動移動可能に引戸に配設するとともに、停止部材を、２個のラック部材のうち停止部材に先に当接したラック部材のみと選択的に当接するようにして、該ラック部材を引戸に対して相対的に摺動移動させるようにするときは、全閉位置から引戸を開け始め、全開位置に達しない状態で引戸を全閉位置に戻す場合でも、２個のラック部材のいずれかが停止部材に当接して引戸の制動を確実に行うことができる。
【発明を実施するための最良の形態】
【００１１】
以下、本発明の引戸の制動装置の実施の形態を、図面に基づいて説明する。
【実施例１】
【００１２】
図１〜図２に、本発明の引戸の制動装置の第１実施例を示す。
この引戸の制動装置１は、主として自閉式の引戸装置に適用されるもので、本実施例のように引戸上部に走行車輪を配設した引戸枠部材の上部に配備し閉鎖方向に傾斜させた走行用レールに載置した吊り戸式のほか、引戸下面に配設した戸車を床面に敷設したレール上を走行させ、先端に錘を取り付けたワイヤで閉鎖方向に引戸を付勢する形式であってもよく、また、自閉機能をもたない引戸装置にも適用することができる。
【００１３】
この引戸の制動装置１は、出入り口に配置される引戸２と、引戸２の上部にブラケット５ａを介して取り付けられる走行車輪５を載置し、引戸２を吊り下げる走行用レール４とを備え、該引戸２を全閉及び全開位置で制動するもので、正・逆両回転方向に制動機能を有する回転式制動機構１１の回転軸１１ａにピニオン１２を配して引戸２の上面にフランジ１４を介して固定する。
フランジ１４は図例の如く走行車輪５を引戸２の上面に固定するブラケット５ａに固定する例を示すが、引戸２に直接固定するように構成してもよい。
【００１４】
また、引戸２にはピニオン１２と噛合するラック部材１３を引戸２の移動方向と所定の範囲内で摺動移動可能に摺動レール１５を介して配設する。この際、ラック部材１３には、フランジ１４に配設した摺動レール１５に摺動方向以外には抜け落ちることがないように摺動レール１５の突起部１５ａに嵌合する溝部１４ａを形成する。また、ラック部材１３は、摺動方向に抜け落ちないように規制部材（図示省略）を配設してもよい。
【００１５】
そして、引戸枠３などの固定側には、前記ラック部材１３の端部が当接して、ラック部材１３を引戸２に対して相対的に摺動移動させる停止部材２０を引戸２の全閉及び全開位置近傍に配設する。
【００１６】
上記構成において、図１に示すように右開きの引戸装置の場合、引戸２が全閉位置では図１（ａ）の如く、ラック部材１３の左端が全閉位置近傍に固定されている停止部材２０ａに当接し、ラック部材１３は、摺動レール１５から右端が突出した状態となっている。
ついで、引戸２を全開位置（図例右側）に移動させるときラック部材１３の右端が全開位置近傍に固定されている停止部材２０ｂに当接し（図１（ｂ）参照）、ラック部材１３は摺動レール１５に沿って摺動移動を始めるも、ラック部材１３の歯が両回転方向に制動機能を有する回転式制動機構１１の回転軸１１ａに回動自在に配設されたピニオン１２と噛み合い、引戸２の移行は制動され、全開側の戸当たりへの勢いの付いた衝突を防止する（図１（ｃ）参照）。
全開位置では周知の全開ストッパー等（図示省略）を配設し、引戸２を全開位置で停止させるように構成することが好ましい。
また、停止部材２０又はラック部材１３の先端には、停止部材２０とラック部材１３の接触音を消音するための素材を当接面に配設することが好ましい。
【００１７】
そして、引戸２を全開位置から全閉位置へ移動させるときは、図１（ｃ）に示すように左側に突出したラック部材１３の左端部が全閉位置近傍に固定されている停止部材２０ａに当接し、ラック部材１３は摺動レール１５に沿って摺動移動を始めるも、全開位置への移行の場合と同様にラック部材１３の歯がピニオン１２と噛み合い、引戸２の移行は制動され、全閉側の戸当たりへの勢いの付いた衝突を防止する（図１（ａ）参照）。
【実施例２】
【００１８】
図３〜図４に、本発明の引戸の制動装置の第２実施例を示す。
この引戸の制動装置１は、回転式制動機構１１の回転軸１１ａに配したピニオン１２を挟んで、対称位置に２個のラック部材１３ａ、１３ｂを独立して摺動移動可能に引戸に配設するとともに、停止部材２０を、２個のラック部材１３ａ、１３ｂのうち停止部材２０に先に当接したラック部材１３のみと選択的に当接するようにして、該ラック部材１３を引戸２に対して相対的に摺動移動させるようにしている。
【００１９】
ラック部材１３ａ、１３ｂは、フランジ１４にピニオン１２を挟んで、引戸２の移動方向と所定の範囲内で摺動移動可能に摺動レール１５を介して平行に２個配設する。そして、停止部材２０はその形状を特に限定するものではないが、例えば図３に示すように断面く字状の揺動部材２１と、く字状の各辺２１ｃ、２１ｄの移行を阻止する規制部材２２を上下に２個と、揺動部材２１を常時は図３（ｂ）の位置に保持するバネ等の弾性体からなる保持部材２３とからなり、揺動部材２１の屈曲部分２１ａにピン２１ｂを配し、揺動自在に引戸枠３などの固定側に配設する。保持部材２３は、巻の両端を伸ばした捻りスプリング等を利用し、図例の如く上側に一端を固定し、他端で揺動部材２１のく字状の下側の辺２１ｄを保持する。この停止部材２０は、引戸２の全閉及び全開位置近傍にそれぞれ配設するほか、全閉又は全開位置の制動が必要な箇所にのみ配設することもできる。
【００２０】
上記構成において、図３に示すように右開きの引戸装置の場合、引戸２が全閉位置では図３（ａ）に示すように、上下いずれかのラック部材１３、図例では下側ラック部材１３ｂの左端が全閉位置近傍に配設されている停止部材２０ａを構成する揺動部材２１のく字状の下側の辺２１ｄに当接し、ラック部材１３ｂは、摺動レール１５から右端が突出した状態で、ラック部材１３ａは、摺動レール１５から左端が突出した状態となっている。このとき、揺動部材２１は、く字状の下側辺２１ｄにラック部材１３ｂが先に当接することによってく字状から逆Ｌ字状に揺動し、揺動部材２１のく字状の上側辺２１ｃは、ラック部材１３ａに当接することはない。引戸２の制動は実施例１と同様にラック部材１３とピニオン１２が噛合することによって行われる。
【００２１】
ついで、引戸２を開放方向（図例右側）に移動させると、全閉位置近傍に配設されている揺動部材２１は、保持部材２３の付勢力によって図３（ａ）の状態から図３（ｂ）の状態に復元する。
そして、引戸２を全開位置近傍まで移動させると、全開位置近傍に配設されている停止部材２０ｂを構成する揺動部材２１のく字状の下側辺２１ｄに下側のラック部材１３ｂが当接し、引戸２の全開に際しても引戸２は制動作用をうけ全開側の戸当たりへの勢いの付いた衝突を防止する。
【００２２】
また、図３（ｂ）の位置、つまり引戸２を完全に全開位置まで移動させていない状態（全開位置近傍に固定されている停止部材２０ｂにラック部材１３を当接させない状態。）から、引戸２を閉鎖側に傾斜させた走行用レール４等の自閉装置又は人手による移動によって全閉位置に移動させるときは、上側のラック部材１３ａの左端が全閉位置近傍に配設されている停止部材２０ａを構成する揺動部材２１のく字状の上側辺２１ｃにラック部材１３ａが先に当接することによってく字状からＬ字状に揺動し、く字状の下側の辺２１ｄは、ラック部材１３ｂに当接することはない。引戸２の制動は実施例１と同様にラック部材１３とピニオン１２が噛合することによって行われる。
【００２３】
このように、実施例２においては、ラック部材１３を回転式制動機構１１のピニオン１２を挟んで、２個配設したから、実施例１のように全閉と全開を繰り返す引戸以外でも適用することができる。
【００２４】
以上、本発明の引戸の制動装置について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２５】
本発明の引戸の制動装置は、両回転方向に制動機能を有する回転式制動機構に配設したピニオンと、該ピニオンに噛合するラックを引戸に固定し、停止部材を固定側に配設するという簡単な構成で引戸の制動を行うことができるという特性を有していることから、新設の引戸設備に用いることができるほか、例えば、既設の引戸設備の追加改造等に適用する用途にも用いることができる。
【図面の簡単な説明】
【００２６】
【図１】本発明の引戸の制動装置の第１実施例の動作を示す正面図で、（ａ）は全閉状態を、（ｂ）は全開位置での制動作用が始まる状態を、（ｃ）は制動作用が終わった全開状態を示す。
【図２】本発明の引戸の制動装置の第１実施例を示す側面図で、図１（ａ）のＸ−Ｘ矢視図である。
【図３】本発明の引戸の制動装置の第２実施例の動作を示す正面図で、（ａ）は全閉状態を、（ｂ）は全閉位置から開放状態へ引戸を開き始めた状態を、（ｃ）は（ｂ）の状態から再び全閉状態に戻した状態を示す。
【図４】本発明の引戸の制動装置の第２実施例を示す側面図で、図２（ａ）のＹ−Ｙ矢視図である。
【図５】従来の引戸の制動装置を示す正面図である。
【符号の説明】
【００２７】
１    引戸の制動装置
２    引戸
１１    回転式制動機構
１１ａ  回転軸
１２    ピニオン
１３    ラック部材
１３ａ  ラック部材
１３ｂ  ラック部材
２０    停止部材
２０ａ  停止部材
２０ｂ  停止部材
【図１】
2006183297.tif 000003
【図２】
2006183297.tif 000004
【図３】
2006183297.tif 000005
【図４】
2006183297.tif 000006
【図５】
2006183297.tif 000007